(57)【要約】【課題】建物内への漏水のリスクを低減することのできる配線引き込み構造および配線引き込み具を提供する。【解決手段】配線引き込み具（３）は、接続線（１０）を屋根部材（２１）に設けられた屋根穴部（２０）に導くために、屋根穴部（２０）の上方空間を覆うように配置され、バネ部材（５）とカバー部材（６）と第１および第２の弾性シール材（７１，７２）とを含む。バネ部材（５）は、屋根部材（２１）上であって屋根穴部（２０）よりも軒側に配置される。カバー部材（６）は、軒側に線挿入部（６０）を有し、屋根穴部（２０）およびバネ部材（５）の上方を覆うように配置される。第１および第２の弾性シール材（７１，７２）は、線挿入部（６０）から挿入された接続線（２０）を上下に挟み込むように、バネ部材（５）の上面およびカバー部材（６）の裏面にそれぞれ配置される。【選択図】図２
2014233153.tif 000002
【特許請求の範囲】
【請求項１】
建物の屋根部材に配された接続線を建物内に引き込むための配線引き込み構造であって、
前記屋根部材に設けられた屋根穴部と、
前記屋根穴部の上方空間を覆うように配置され、前記屋根部材からの前記接続線を前記屋根穴部に導くための配線引き込み具とを備え、
前記配線引き込み具は、
前記屋根部材上であって前記屋根穴部よりも軒側に配置されるバネ部材と、
軒側に線挿入部を有し、前記屋根穴部および前記バネ部材の上方を覆うように配置されるカバー部材と、
前記線挿入部から挿入された前記接続線を上下に挟み込むように、前記バネ部材の上面および前記カバー部材の裏面にそれぞれ配置される第１および第２の弾性シール材とを含む、配線引き込み構造。
【請求項２】
前記バネ部材は、前記屋根部材上に配置されるベース部と、前記ベース部の先端から前記ベース部側に折り返された折り返し部とを含み、
前記第１の弾性シール材は、前記折り返し部の上面に取り付けられている、請求項１に記載の配線引き込み構造。
【請求項３】
前記線挿入部は、シール材により塞がれている、請求項１または２に記載の配線引き込み構造。
【請求項４】
前記配線引き込み具は、前記屋根穴部の位置に開口部を有する板状部材をさらに含み、
前記バネ部材は、前記板状部材に固定されている、請求項３に記載の配線引き込み構造。
【請求項５】
前記板状部材は、前記開口部よりも棟側において、上方に突出し、かつ、桁方向に対して斜め方向に延びる水切り部をさらに含む、請求項４に記載の配線引き込み構造。
【請求項６】
前記カバー部材の棟側の端縁が、前記水切り部に沿うように配置される、請求項５に記載の配線引き込み構造。
【請求項７】
前記シール材は、前記板状部材と前記カバー部材との間に設けられている、請求項４〜６のいずれかに記載の配線引き込み構造。
【請求項８】
前記屋根部材は、屋根下地材を含み、
前記屋根下地材の上方には、複数の瓦が、屋根の勾配方向において一部重なるように並べられており、
前記配線引き込み具は、前記瓦の下面と前記屋根下地材の上面との隙間に配置される、請求項１〜７のいずれかに記載の配線引き込み構造。
【請求項９】
建物の屋根部材に配された接続線を建物内に引き込むための配線引き込み具であって、
前記屋根部材上に配置され、前記屋根部材に設けられた屋根穴部の位置に開口部を有する板状部材と、
前記板状部材上であって前記開口部よりも軒側に配置されるバネ部材と、
軒側に線挿入部を有し、前記開口部および前記バネ部材の上方を覆うように配置されるカバー部材と、
前記線挿入部から挿入された前記接続線を上下に挟み込むように、前記バネ部材の上面および前記カバー部材の裏面にそれぞれ配置される第１および第２の弾性シール材とを備える、配線引き込み具。
【発明の詳細な説明】
【技術分野】
【０００１】
本発明は、配線引き込み構造および配線引き込み具に関し、特に、建物の屋根部材に配された接続線を建物内に引き込むための配線引き込み構造および配線引き込み具に関する。
【背景技術】
【０００２】
建物の屋根上に、たとえば太陽光発電装置などの設備機器が設置されることがある。このような場合、屋根部材に配された接続線（たとえば電力線）は、通常、屋根部材に設けられた屋根穴部から建物内に引き込まれる。
【０００３】
特許第３８０５１６６号公報（特許文献１）には、屋根下地材に形成した配線引込口への雨水等の流れ込みを防止する水返し材が、屋根下地材に取り付けられるとともに、配線引込口および水返し材が、カバー部材によって覆われた配線引き込み構造が開示されている。カバー部材は、配線挿通口が、水返し材を挟んで配線引き込み口と反対側に位置するように、屋根下地材に取り付けられている。この配線引き込み構造においては、設備機器からの配線が、配線挿通口から水返し材とカバー部材との間の隙間を通って配線引込口へ引き込まれ、カバー部材の配線挿通口に取り付けた乾式シール材によって、配線挿通口が塞がれている。
【０００４】
また、屋根部材からの雨漏りを防止する金具として、実用新案登録第３１７８５９３号公報（特許文献２）には、板金の上面に上方へ突出しかつ板金の左端部から右端部に向かって斜め方向に延びる水切部を設けた瓦用防水板金が提案されている。
【先行技術文献】
【特許文献】
【０００５】
【特許文献１】特許第３８０５１６６号公報
【特許文献２】実用新案登録第３１７８５９３号公報
【発明の概要】
【発明が解決しようとする課題】
【０００６】
上述のような従来の配線引き込み構造では、配線挿通口の乾式シール材を通り抜けて浸入してきた雨水に対しては、屋根下地材に取り付けられた水返し材によって配線引込口（屋根穴部）への流れ込みを防ぐ構成である。しかしながら、水返し材だけでは、屋根穴部の雨仕舞いとしては不十分な場合がある。
【０００７】
本発明は、上記のような課題を解決するためになされたものであって、その目的は、建物内への漏水のリスクを低減することのできる配線引き込み構造および配線引き込み具を提供することである。
【課題を解決するための手段】
【０００８】
この発明のある局面に従う配線引き込み構造は、建物の屋根部材に配された接続線を建物内に引き込むための配線引き込み構造であって、屋根部材に設けられた屋根穴部と、屋根穴部の上方空間を覆うように配置され、屋根部材からの接続線を屋根穴部に導くための配線引き込み具とを備える。配線引き込み具は、屋根部材上であって屋根穴部よりも軒側に配置されるバネ部材と、軒側に線挿入部を有し、屋根穴部およびバネ部材の上方を覆うように配置されるカバー部材と、線挿入部から挿入された接続線を上下に挟み込むように、バネ部材の上面およびカバー部材の裏面にそれぞれ配置される第１および第２の弾性シール材とを含む。
【０００９】
好ましくは、バネ部材は、屋根部材上に配置されるベース部と、ベース部の先端からベース部側に折り返された折り返し部とを含む。この場合、第１の弾性シール材は、折り返し部の上面に取り付けられる。
【００１０】
好ましくは、線挿入部は、シール材により塞がれている。
【００１１】
好ましくは、配線引き込み具は、屋根穴部の位置に開口部を有する板状部材をさらに含む。この場合、バネ部材は、板状部材に固定されていることが望ましい。
【００１２】
また、板状部材は、開口部よりも棟側において、上方に突出し、かつ、桁方向に対して斜め方向に延びる水切り部をさらに含むことが望ましい。
【００１３】
また、カバー部材の棟側の端縁が、水切り部に沿うように配置されることが望ましい。
【００１４】
好ましくは、シール材は、板状部材とカバー部材との間に設けられている。
【００１５】
屋根部材は、屋根下地材を含み、屋根下地材の上方には、複数の瓦が、屋根の勾配方向において一部重なるように並べられていてもよい。この場合、配線引き込み具は、瓦の下面と屋根下地材の上面との隙間に配置されることが望ましい。
【００１６】
この発明のある局面に従う配線引き込み構造は、建物の屋根部材に配された接続線を建物内に引き込むための配線引き込み具であって、板状部材とバネ部材とカバー部材と第１および第２の弾性シール材とを備える。板状部材は、屋根部材上に配置され、屋根部材に設けられた屋根穴部の位置に開口部を有する。バネ部材は、板状部材上であって開口部よりも軒側に配置される。カバー部材は、軒側に線挿入部を有し、開口部およびバネ部材の上方を覆うように配置される。第１および第２の弾性シール材は、線挿入部から挿入された接続線を上下に挟み込むように、バネ部材の上面およびカバー部材の裏面にそれぞれ配置される。
【発明の効果】
【００１７】
本発明によれば、バネ部材の反発力と第１および第２の弾性シール材の弾性力とによって、線挿入部から挿入された接続線の周囲は完全に密閉される。したがって、雨水が接続線を伝って線挿入部から流れ込んできたとしても、屋根穴部よりも軒側において雨水をシャットアウトすることができる。その結果、建物内への漏水のリスクを低減することができる。
【図面の簡単な説明】
【００１８】
【図１】本発明の実施の形態に係る配線引き込み構造を模式的に示す模式断面図である。
【図２】本発明の実施の形態における配線引き込み具を示す拡大断面図である。
【図３】本発明の実施の形態における配線引き込み具を示す分解斜視図である。
【図４】本発明の実施の形態において、カバー部材が取り付けられる前の状態の配線引き込み構造を示す図である。
【図５】本発明の実施の形態において、カバー部材が取り付けられた後の状態の配線引き込み構造を示す図である。
【発明を実施するための形態】
【００１９】
本発明の実施の形態について図面を参照しながら詳細に説明する。なお、図中同一または相当部分には同一符号を付してその説明は繰返さない。
【００２０】
図１は、本発明の実施の形態に係る配線引き込み構造を模式的に示す模式断面図である。図１を参照して、本実施の形態では、建物の屋根部２に配された電力線１０を屋内に引き込むための配線引き込み構造について説明する。屋根部２は、勾配を有しており、たとえば切妻屋根や片流れ屋根が想定される。本実施の形態において、図１中矢印Ａ１で示される、屋根部２の勾配方向下側を「軒側」という。また、矢印Ａ１の反対側の方向である、勾配方向上側を「棟側」という。
【００２１】
屋根部２は、２つの屋根部材すなわち、屋根下地材２１および屋根仕上げ材２２を含む。屋根下地材２１は、少なくとも、野地板を含み、野地板上に配置される防水シート（図示せず）をさらに含んでいてもよい。屋根下地材２１の上面に、屋根仕上げ材２２が配置される。
【００２２】
屋根仕上げ材２２は、複数の瓦２２１，２２２，２２３，…を含み、これらは勾配方向および桁方向に並べられている。本実施の形態では、各瓦は、桁方向に凹凸を有している。複数の瓦２２１，２２２，２２３，…は、勾配方向において一部重なるように並べられている。たとえば、瓦２２２の棟側上面には、隣接する瓦２２３の軒側脚部２５が載せられている。そのため、屋根下地材２１の上面と複数の瓦２２１，２２２，２２３，…の下面との間には、部分的に隙間ができる。本実施の形態では、この隙間を「瓦下空間１２」という。たとえば瓦２２２下の瓦下空間１２は、勾配方向において、当該瓦２２２における棟側脚部２６の軒側端縁２６ｂと、隣接する軒側の瓦２２１における棟側脚部２６の棟側端縁２６ａとで区切られている。この勾配方向長さは、一般的に、２０〜４０ｃｍ程度である。
【００２３】
本実施の形態では、電力線１０を建物内部１１に引き込むための屋根穴部２０が、屋根下地材２１にのみ設けられている。そして、屋根穴部２０の上方空間を覆うように、配線引き込み具（以下「引き込み具」と略す）３が配置される。具体的には、引き込み具３は、上記瓦下空間１２に配置される。たとえば陶器瓦のように屋根仕上げ材２２に穴を開けることが困難な場合や、屋根部２（屋根仕上げ材２２）上部の美観を考慮する場合などに、瓦下空間１２に収まるように、引き込み具３が構成される。なお、本実施の形態では、屋根穴部２０の位置は、たとえば、瓦下空間１２の勾配方向長さの略中央位置である。
【００２４】
（引き込み具について）
ここでまず、引き込み具３の構成および配置例について説明する。
【００２５】
図２は、本発明の実施の形態における引き込み具３を示す拡大断面図である。図３は、本発明の実施の形態における引き込み具３を示す分解斜視図である。図１〜図３を参照して、本実施の形態において、引き込み具３は、板状部材４と、板状部材４上に配置されるカバー部材６とを含む。
【００２６】
板状部材４は、平面視において矩形形状であり、屋根穴部２０の位置に配置される開口部４０を有する。開口部４０は、屋根穴部２０と略同一の形状であってよい。板状部材４上には、上下方向の力に対して弾性変形するように構成されたバネ部材５が固定されている。上下方向は、屋根下地材２１に対して垂直な方向である。バネ部材５は、取り付け状態において、開口部４０よりも軒側に配置される。本実施の形態では、バネ部材５は、形状的に弾性変形するように構成された板バネである。すなわち、バネ部材５は、板状部材４上に配置されるベース部５２と、ベース部５２の先端からベース部５２に折り返された折り返し部５１とを含む。本実施の形態では、折り返し部５１の自由端が軒側に向くように配置されている。
【００２７】
板状部材４は、さらに、棟側からの浸水を防ぐために、上記実用新案登録第３１７８５９３号公報（特許文献２）に記載の構成と同様に、水切り部４１を含んでいる。水切り部４１は、開口部４０よりも棟側において上方に突出し、かつ、桁方向に対して斜め方向に延びている。
【００２８】
カバー部材６は、軒側に線挿入部６０を有しており、屋根穴部２０（開口部４０）およびバネ部材５の上方を覆うように配置される。線挿入部６０は、板状部材４の軒側端縁４ｃよりも棟側に配置される。本実施の形態において、カバー部材６のうち、屋根穴部２０およびバネ部材５の上方を覆う部分を「覆い部６１」、軒方向を除き、覆い部６１の周囲に延びる平坦部分を「平坦部６２」という。カバー部材６の棟側の端縁すなわち、平坦部６２の棟側の端縁６２ａは、水切り部４１に沿うように配置される。
【００２９】
覆い部６１は、逆Ｕ字状断面を有しており、上壁６１１と、対向する２つの側壁６１２，６１３とを含む。覆い部６１は、桁方向においてバネ部材５と嵌合するように、側壁６１２，６１３間の間隔が、バネ部材５の桁方向長よりも若干長くなるよう形成されていることが望ましい。覆い部６１は、上壁６１１の棟側端縁から棟方向斜め下方に延びる傾斜壁６１４をさらに含む。
【００３０】
本実施の形態において、カバー部材６の覆い部６１の下方空間において、線挿入部６０を入口とし、屋根穴部２０に至るまでの電力線１０の通路を「配線通路３０」という。
【００３１】
ここで、本実施の形態では、バネ部材５の折り返し部５１の上面に、弾性シール材７１が固定されている。また、カバー部材６の裏面６１ａにおいても、弾性シール材７１と対向する位置に、弾性シール材７２が固定されている。より具体的には、弾性シール材７１は、バネ部材５の上面におけるたとえば先端部分に、桁方向一端から他端にまで延びるように配置されている。弾性シール材７２は、覆い部６１の上壁６１１の裏面６１ａにおいて、桁方向一端から他端にまで延びるように配置されている。線挿入部６０から挿入された電力線１０は、対向する弾性シール材７１，７２によって上下に挟み込まれる。
【００３２】
引き込み具３の各部材すなわち、板状部材４、バネ部材５およびカバー部材６は、塩害地域を考慮して、たとえばステンレス製であることが望ましい。各弾性シール材７１，７２は、圧縮可能な弾性体であって、その材質は、たとえば独立気泡型または連続気泡型の発泡体ゴムであることが望ましい。
【００３３】
（配線引き込み構造について）
次に、上述の引き込み具３を備えた配線引き込み構造について詳細に説明する。配線引き込み構造については、図４および図５をさらに参照して、引き込み具３の施工手順に従い説明する。
【００３４】
図４は、本発明の実施の形態において、カバー部材６が取り付けられる前の状態の配線引き込み構造を示す図である。図５は、本発明の実施の形態において、カバー部材６が取り付けられた後の状態の配線引き込み構造を示す図である。
【００３５】
図１〜図４を参照して、はじめに、バネ部材５が固定された板状部材４が、屋根下地材２１の上面２１ａにおける所定位置に、ビス等により固定される。具体的には、開口部４０が、屋根穴部２０の位置に配置され、かつ、板状部材４の軒側端縁４ｃが、軒側に隣接する瓦２２１の棟側端縁２６ａに沿うように配置される。
【００３６】
電力線１０は、軒側の瓦２２１の凹部２３（隣り合う凸部２４間）から、瓦２２２の瓦下空間１２（屋根下地材２１上）に配される。その電力線１０は、バネ部材５に固定された弾性シール材７１上に引き渡され、開口部４０および屋根穴部２０を通って、建物内部１１に引き込まれる。
【００３７】
電力線１０が建物内部１１に引き込まれると、図５に示されるように、板状部材４上にカバー部材６が被せられる。板状部材４上にカバー部材６が被せられただけでは、カバー部材６は浮いた状態であってよい。カバー部材６の重みだけでは、バネ部材５はほとんど伸縮変形しないためである。これに対し、カバー部材６が板状部材４上に押さえ付けられ、平坦部６２の裏面６２ｂが板状部材４の上面４ａと面接触する状態でビス等により固定されたとする。そうすると、バネ部材５は、カバー部材６の覆い部６１の裏面６１ａ（より具体的には弾性シール材７２）により下方に押さえ付けられて、下方に伸縮変形する。このとき、バネ部材５の反発力と、対向する弾性シール材７１，７２とによって、電力線１０は上下方向に完全に挟み込まれる。また、電力線１０の桁方向両端側においても、弾性シール材７１，７２が相互に押さえ付けられる。したがって、電力線１０の周囲は、弾性シール材７１，７２によって完全に密閉される。
【００３８】
カバー部材６が板状部材４上に取り付けられると、線挿入部６０における電力線１０の周囲に、湿式のシール材８が設けられることが望ましい。これにより、線挿入部６０が塞がれる。本実施の形態では、シール材８は、配線通路３０の入口側の開口よりもバネ部材５寄りの位置に設けられている。したがって、たとえば紫外線等によるシール材８の劣化を防ぐこともできる。
【００３９】
上述のような引き込み具３の取り付けが完了すると、図１に示されるように、引き込み具３の上方空間に、瓦２２２が載置される。その際、瓦２２１上に配された電力線１０の上方に位置する瓦２２２の軒側脚部２５の下端は、電力線１０の厚み分だけ切断されることが望ましい。
【００４０】
上述のように、本実施の形態によれば、軒側から瓦下空間１２（図１）に流れ込む雨水は、配線通路３０のシール材８および弾性シール材７１，７２によって、２段階で止水可能である。つまり、シール材８によって、軒側から吹き上がる風雨が、配線通路３０内に入り込むことを阻止する（一次止水）。また、シール材８を通過して配線通路３０内に入り込んできた雨水に対しては、バネ部材５の反発力と弾性シール材７１，７２の弾性力とによって止水される（二次止水）。この弾性シール材７１，７２は乾式のシール材であるので、長期に渡り止水性を維持することができる。
【００４１】
特に、風圧等によっては、シール材８を通過した雨水が電力線１０を伝って棟側へ上昇してくる恐れもある。しかし、本実施の形態によれば、弾性シール材７１，７２によって、電力線１０を伝う雨水を、屋根穴部２０よりも軒側でシャットアウトすることができる。
【００４２】
さらに、本実施の形態では、バネ部材５は、折り返し部５１の自由端が軒側に向くように配置されている。そのため、バネ部材５は水切りとしても機能する。つまり、シール材８を通過した雨水が、電力線１０と関係なく、配線通路３０内の板状部材４上に流れ込んできたとしても、バネ部材５によって、雨水が屋根穴部２０側に浸入するのを阻止することもできる。
【００４３】
このように、本実施の形態によれば、線挿入部６０を通過して配線通路３０内に浸入してきた雨水を、屋根穴部２０の手前で確実に止水することができる。なお、カバー部材６を設置する前に、開口部４０および屋根穴部２０における電力線１０の周囲にも、湿式シール材等が設けられてもよい。
【００４４】
また、図５の矢印で示されるように、棟側から瓦下空間１２（図１）に流れ込む雨水は、水切り部４１によって側方に逃がされる。そのため、カバー部材６側へ雨水が流れ込むことを阻止することができる。また、上述のように、カバー部材６の棟側の端縁６２ａは、水切り部４１に沿うように配置されている。したがって、板状部材４の上面４ａとカバー部材６の平坦部６２の裏面６２ｂとの間の防水性を高めることもできる。なお、棟側からの雨水が、屋根下地材２１の上面２１ａと板状部材４の裏面４ｂとの間に浸入するのを防止する防水部材が設けられていることが望ましい。防水部材は、たとえば、板状部材４の周囲に貼り付けられる防水テープであってよい。あるいは、瓦下空間１２よりも棟側から延びる、たとえばアスファルトルーフィングなどの防水シート（図示せず）が、板状部材４上の水切り部４１にまで延びていてもよい。
【００４５】
以上説明したように、本実施の形態によれば、引き込み具３によって、軒側からの雨水および棟側からの雨水の両方が、屋根穴部２０へ流れ込むのを防止することができる。したがって、瓦下空間１２のような限られた空間内であっても、雨仕舞に優れた引き込み具３を配置することによって、建物内部１１への漏水のリスクを低減することができる。
【００４６】
また、現場では、板状部材４およびカバー部材６の２つの部材を固定するだけでよいため、施工性にも優れている。
【００４７】
なお、本実施の形態では、バネ部材５は、折り返し部５１の自由端が軒側に向くように配置されることとした。しかしながら、折り返し部５１の自由端が棟側に向くように配置されてもよい。また、バネ部材５は板バネであることとしたが、上下方向の力に対して弾性変形するように構成された部材であれば他の部材であってもよい。
【００４８】
また、弾性シール材７１，７２は、それぞれ、バネ部材５の上面および覆い部６１の裏面６１ａにおいて、桁方向一端から他端にまで延びるように配置されることとした。しかしながら、弾性シール材７１，７２によって電力線１０を伝う雨水の阻止さえできればよい場合には、弾性シール材７１，７２は、取り付け状態において少なくとも電力線１０の周囲を囲むように配置されていればよい。
【００４９】
また、本実施の形態では、引き込み具３が板状部材４を含むこととしたが、板状部材４は含まなくてもよい。その場合、バネ部材５は、屋根下地材２１上に直接取り付けられればよい。
【００５０】
また、本実施の形態では、屋根穴部２０は、屋根下地材２１のみを貫通するように設けられていたが、屋根仕上げ材２２の種類や形状によっては、屋根仕上げ材２２をも貫通していてもよい。つまり、引き込み具３は、屋根仕上げ材２２上に配置されていてもよい。
【００５１】
また、本実施の形態では、屋根部２に設置された設備機器と建物内部１１等に設置された機器とを接続する接続線として、電力線１０を例に説明した。しかしながら、接続線は、線状の部材であれば電力線１０に限定されない。たとえば、接続線は、アンテナと通信機器とを接続する通信ケーブルなどであってもよい。
【００５２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００５３】
２  屋根部、３  引き込み具、３０  配線通路、４  板状部材、５  バネ部材、６  カバー部材、８  シール材、１０  電力線、１１  建物内部、１２  瓦下空間、２０  屋根穴部、２１  野地板、２２，２２１，２２２，２２３  瓦、２３  凹部、２４  凸部、２５  軒側脚部、２６  棟側脚部、４０  開口部、４１  水切り部、５１  折り返し部、５２  ベース部、６０  線挿入部、６１  覆い部、６２  平坦部、７１，７２  弾性シール材、６１１  上壁、６１２，６１３  側壁、６１４  傾斜壁。
【図１】
2014233153.tif 000003
【図２】
2014233153.tif 000004
【図３】
2014233153.tif 000005
【図４】
2014233153.tif 000006
【図５】
2014233153.tif 000007